(57)【要約】【課題】  基板と、木質のチップ層とより構成され、音の響きを抑えて高い吸音効果が得られると共に十分な強度を確保することができ、その上、チップ層は、木材の廃材とし多く発生する木質チップ片を利用して構成することができ、低コストで新しい質感の建築物の吸音パネル構造を提供する。【解決手段】  建築物の室空間を仕切る吸音パネル構造であって、合板などの基板１０と、その基板１０の室空間４側の一面に貼り合わされる通気性を保有するチップ層２０とよりなり、そのチップ層２０は、多数の木質チップ片２１を、空隙２２を存して不規則に集合し相互に接着して層状に構成され、木質チップ片２１相互間に通気空間２４が形成される。【選択図】  図２
2016061036.tif 000002
【特許請求の範囲】
【請求項１】
建築物の室空間を仕切る吸音パネル構造であって、
合板などの平坦な基板（１０，１００）と、該基板（１０，１００）の室空間（４）側の一面に貼り合わされる通気性を保有するチップ層（２０）とよりなり、
前記チップ層（２０）は、多数の木質チップ片（２１）を、空隙（２２）を存して不規則に集合し相互に接着して層状に構成され、各木質チップ片（２１）相互間に通気空間（２４）が形成されることを特徴とする、建築物の吸音パネル構造。
【請求項２】
前記基板（１０，１００）は、無孔板（１０）により形成されることを特徴とする、前記請求項１に記載の建築物の吸音パネル構造。
【請求項３】
前記基板（１０，１００）は、有孔板（１００）により形成されることを特徴とする、前記請求項１に記載の建築物の吸音パネル構造。
【請求項４】
前記木質チップ片（２１）は、小径木や廃材として発生するチップを利用して形成されることを特徴とする、前記請求項１、２または３に記載の建築物の吸音パネル構造。
【発明の詳細な説明】
【技術分野】
【０００１】
本発明は、建築物の室空間に発生する音の響きを抑えて高い吸音効果が得られ、主として室空間を仕切る内装壁に適用される、新規な建築物の吸音パネル構造に関する。
【背景技術】
【０００２】
従来、木質系の吸音壁構造として、有孔合板の裏面に吸音材を入れたものが知られている（後記非特許文献１参照）。
【０００３】
ところで、前記非特許文献１のものでは、木質系の有孔合板の裏面に吸音材を入れるので、吸音材の均一性を保ち、かつその脱落防止の処置をとると共に有孔合板の表面に吸音材が出てこないようにする処置をとる必要があって、全体として構造が複雑になり、コスト高を招くという問題がある。
【０００４】
一方、壁構造して用いられるコンクリートやタイルに代えて自然環境を彷彿させ、吸音性に優れ、かつ低コストで提供できる新しい質感の木質系吸音パネルの開発が望まれている。
【先行技術文献】
【非特許文献】
【０００５】
【非特許文献１】図説「建築の内装工事」高木恒夫著、理工学社発行１９８９．８．３０  第１２版発行  「壁仕上げ、木質系張り仕上げ」  １０５ページ参照。
【発明の概要】
【発明が解決しようとする課題】
【０００６】
本発明は、かかる実情に鑑みてなされたもので、合板などの基板と、その一面に通気性をもたせて貼り合わされるチップ層とより構成され、音の響きを抑えて高い吸音効果が得られると共に十分な強度を確保することができ、その上、チップ層は、木材の廃材とし多く発生する木質チップ片を利用して構成することができ、低コストで新しい質感の建築物の吸音パネル構造を提供することを目的とする。
【課題を解決するための手段】
【０００７】
前記目的を達成するために、請求項１の発明は、建築物の室空間を仕切る吸音パネル構造であって、合板などの平坦な基板と、該基板の室空間側の一面に貼り合わされる通気性を保有するチップ層とよりなり、チップ層は、多数の木質チップ片を、空隙を存して不規則に集合し相互に接着して層状に構成され、各木質チップ片相互間に通気空間が形成されることを特徴としている。
【０００８】
前記目的を達成するために、請求項２の発明は、前記請求項１に記載のものにおいて、前記基板は、無孔板により形成されることを特徴としている。
【０００９】
前記目的を達成するために、請求項３の発明は、前記請求項１に記載のものにおいて、前記基板は、有孔板により形成されることを特徴としている。
【００１０】
前記目的を達成するために、請求項４の発明は、前記請求項１、２または３に記載のものにおいて、前記木質チップ片は、小径木や廃材として発生するチップを利用して形成されることを特徴としている。
【発明の効果】
【００１１】
請求項１の発明によれば、吸音パネルは、合板などの平坦な基板と、該基板の室空間側の一面に貼り合わされる通気性を保有するチップ層とよりなり、チップ層は、多数の木質チップ片を、空隙を存して不規則に集合し相互に接着して層状に構成され、各木質チップ片相互間に通気空間が形成されるので、室空間内に発生する音を効果的に吸音することができると共に高い強度を確保することができ、その上、木質チップ片よりなるチップ層は、室空間に直接露出するので、室空間を自然環境の安らぎ空間とすることができる。
【００１２】
請求項２の発明によれば、前記基板は、無孔板により形成されるので、特に、中高音域での吸音効果が得られ、たとえば、無孔板の厚さ約９mm、チップ層の厚さ約２５mm、としたとき、５００Hz帯域よりも上の周波数域で高い吸音率を得ることができる。
【００１３】
請求項３の発明によれば、前記基板は、有孔板により形成されるので、特に、低音域から中高音域までの全体域で高い吸音効果が得られ、たとえば、有孔板の厚さ約９mm、チップ層の厚さ約２５mm、としたとき、２５０Hzから４０００Hzまでの広い周波数域で高い吸音率を得ることができる。
【００１４】
請求項４の発明によれば、前記チップ層を構成する木質チップ片は、小径木や廃材として発生するチップを利用して形成されるので、極めて廉価に提供することができる。
【図面の簡単な説明】
【００１５】
【図１】吸音パネルを採用したコンクリート躯体の斜視図（第１の実施形態）
【図２】図１の２−２線に沿う吸音パネルの拡大断面図（第１の実施形態）
【図３】図２の３矢視図（第１の実施形態）
【図４】図２の４矢視囲い部分の拡大図（第１の実施形態）
【図５】図２の５矢視囲い部分の拡大図（第１の実施形態）
【図６】吸音パネルと比較例との吸音率比率を示す図（第１の実施形態）
【図７】吸音パネルの拡大断面図（第２の実施形態）
【図８】図７の８矢視図（第２の実施形態）
【図９】吸音パネルと比較例との吸音率比率を示す図（第２の実施形態）
【発明を実施するための形態】
【００１６】
まず、本発明の第１の実施の形態を、図１〜６を参照して以下に具体的に説明する。
【００１７】
図１には、本発明に係る吸音パネルＰを、コンクリート躯体Ｓの内装側壁に実施した場合が示されており、コンクリート躯体Ｓの室空間４を仕切る躯体壁２には、背後空間３を存して吸音パネルとしての内装側壁Ｐが配設される。
【００１８】
つぎに、図２〜５を参照して吸音パネル、すなわち内装側壁Ｐの構造について説明する。
【００１９】
内装側壁Ｐは、基板１０と、この基板１０の表面（室空間４に対面する面）に貼り合わされるチップ層２０とよりなる。
【００２０】
前記基板１０は無孔板よりなり、合板または石膏ボードより構成される。
【００２１】
前記チップ層２０は、多数の木質チップ片２１…を、空隙２２を存して、不規則に相互に、エポシキ系樹脂などよりなるバインダー２３を用いて層状に接着して構成されており、チップ層２０には、多数の木質チップ片２１…間を連通する通気空間２４が形成されている。
【００２２】
前記木質チップ片２１…は、木材を小片にしたものであって、間伐材などの小径木、製材、合板工場や家具工場などで廃材として発生するチップを利用して作られる。
【００２３】
図２に示すように、チップ層２０は、所定の厚みを有して、無孔板よりなる基板１０と略平行な層状に形成され、その内部には、多数の空隙２２よりなる無規則な通気空間２４が形成され、その外面には、凹凸が形成される。
【００２４】
前記内装側壁Ｐは、コンクリート躯体壁、すなわち剛壁２の内面に、所定の背後空間３を存してその剛壁２と平行に配置されており、基板としての無孔板１０が剛壁２側に対面し、チップ層２０がコンクリート躯体Ｓの室空間４側に対面する。
【００２５】
そしてこの第１の実施形態では、
(1) 木質チップ片２１の寸法は、長さ１０〜５０mm、厚さ５〜２０mm、
(2) チップ層２０の厚さは、１０mm〜５０mm、
(3) チップ層２０の空隙率は３０％〜６０％、
(4) 無孔板１０の板厚は９〜１５mm、
とされている。
【００２６】
図６には、第１実施形態の内装側壁Ｐと比較例との吸音率比率が示されている。
【００２７】
図６（ａ）には、第１の実施形態の吸音パネル構造を、公共空間や会議室に実施した場合の一例が示される。
【００２８】
無孔板１０の背面から剛壁（躯体壁）２までの距離（背後空間）を５０mm、チップ層２０の厚さを２５mm、無孔板の厚さを９mmとした。
【００２９】
一方、図６（ｂ）には、比較例として、無孔板１０のみを使用した場合が示される。
【００３０】
なお、公共空間や会議室においては、音の障害となる人の声の周波数成分は、約５００〜２０００Hz帯域とされている。
【００３１】
図６のグラフには、第１の実施形態および比較例の吸音率が示されている。横軸を中心周波数とし、縦軸を残響室法吸音率としたとき、前記第１の実施形態では、実線（ａ）に示すように、５００Hz帯域よりも上の周波数域では、０．６Hz以上の吸音率が得られ、一方、比較例では、細線（ｂ）に示すように、吸音率が０．２Hz以下である。
【００３２】
以上のように、第１実施形態の吸音パネルＰを使用することで、フラッターエコーを防止することができると共に音の響きが長すぎる空間を改善することができる。
【００３３】
つぎに、本発明の第２の実施の形態を、図７〜９を参照して説明する。
【００３４】
この第２の実施形態では、基板を有孔板１００とした点が前記第１の実施形態と相違している。
【００３５】
前記有孔板１００は、合板または石膏ボードより構成される。その板厚は９〜１５mmである。有孔板１００には、その表面から背面に亘り、かつその全域に亘って円形の吸音孔１０１…が開口されている。
【００３６】
チップ層２０は、前記第１の実施形態と同じく多数の木質チップ片２１…を、空隙２２を存して、すなわち通気性をもたせて不規則に相互にバインダー２３を用いて層状に接着して構成されている。
【００３７】
図７に示すように、チップ層２０は、所定の厚みを有して、有孔板１００と平行な層状に形成され、その内部には、多数の無規則な空隙２２よりなる通気空間２４が形成され、その外面には細かな凹凸が形成される。
【００３８】
図９には、第２実施形態の内装側壁Ｐと比較例との吸音率比率が示されている。
【００３９】
図９（ｃ）には、第２の実施形態の吸音パネルＰを、広い周波数帯域での吸音効果が求められる音楽ホールや劇場などの建物の室空間に実施した場合の一例が示される。
【００４０】
内装側壁Ｐは、コンクリート躯体壁、すなわち剛壁２の内面（室空間４に対向する面）に、所定の背後空間３を存して剛壁２と平行に配置され、その有孔板１００が剛壁２側に対面し、チップ層２１が建物の室空間４側に対面する。また背後空間３の中間部には、グラスウール１０２が挿入される。
【００４１】
そして、この第２の実施形態では、
(1) 木質チップ片２１の寸法は、長さ１０〜５０mm、厚さ５〜２０mm、
(2) チップ層２０の厚さは、１０mm〜５０mm、
(3) チップ層２０の空隙率は３０％〜６０％、
(4) 有孔板１００の板厚は９〜１５mm、
とされている。
【００４２】
一方、図９（ｄ）には、比較例として、有孔板１００のみを使用した場合が示される。      
【００４３】
図９のグラフには、第２の実施形態および比較例の吸音率が示されている。横軸を中心周波数とし、縦軸を残響室法吸音率としたとき、第２の実施形態の吸音率を実線（ｃ）で示し、比較例の吸音率を点線（ｄ）で示す。
【００４４】
なお、音楽ホールや劇場では、音楽を対象とするため人の声よりも広い周波数帯域での吸音効果が求められる。空間全体では音の響きは用途に応じて適切な響きとなるように調整される。
【００４５】
有孔板１００の背面から剛壁（躯体壁）２までの背後空間３の距離を９０mmとし、その背後空間３の中間部内にグラスウール１０２が挿入される。チップ層２０の厚さを２５mm、有孔板１００の厚さを９mmとした。
【００４６】
図９のグラフに示すように、５００Hz帯域よりも上の周波数域では、実線（ｃ）に示すように、０．６以上の吸音率が得られ、共鳴周波数を中心に山形の吸音特性を示し、特に、２５０Hzから４０００Hzまでの広い周波数域で吸音率は０．６以上である。
【００４７】
一方、比較例では、点線（ｄ）に示すように、５００Hz帯域よりも上の周波数域では、吸音率が０．６以下である。
【００４８】
以上の結果から、第２の実施形態の、吸音パネルとしての内装側壁Ｐは、広域吸音域に亘って高い吸音率が要求される音楽ホールや劇場などの内装壁として有効である。
【００４９】
以上、第１および第２の実施形態で明らかなように、吸音パネルＰは、合板などの基板１０、１００と、その基板１０、１００の室空間４側の一面に貼り合わされる通気性を保有するチップ層２０とよりなり、チップ層２０は、多数の木質チップ片２１…を、空隙２２を存して不規則に集合し相互に接着して層状に構成され、各木質チップ片２１相互間に通気空間２４が形成されることで、室空間４内に発生する音を効果的に吸音することができると共に高い強度を確保することができる。
【００５０】
木質チップ片２１…よりなるチップ層は、室空間４に直接露出するので、室空間４を自然環境の安らぎ空間とすることができる。
【００５１】
また、基板を無孔板１０により形成することで、中高音域での吸音効果を高めることができ５００Hz帯域よりも上の周波数域で高い吸音率を得ることができる。
【００５２】
また、基板を有孔板１００により形成することで低音域から中高音域までの全体域で高い吸音効果が得られ、２５０Hzから４０００Hzまでの広い周波数域で高い吸音率を得ることができる。
【００５３】
また、チップ層２０を構成する木質チップ片２１…は、木材の廃材を利用して形成されるので、吸音パネルＰを極めて低コストで提供することができる。
【００５４】
以上、本発明の第１、第２の実施の形態について説明したが、本発明はそれらの実施の形態に限定されることなく、本発明の範囲内で種々の実施の形態が可能である。
【００５５】
たとえば、前記実施形態では、吸音パネル構造を鉄筋コンクリート建築物の室空間に実施した場合を説明したが、これを他の建築物の室空間に実施できることは勿論であり、また、前記実施形態では、吸音パネル構造を剛壁の壁面より背後空間をあけて設けているが、これを背後空間をあけずに剛壁の壁面に直接設けてもよい。
【符号の説明】
【００５６】
４・・・・室空間
１０・・・・基板（無孔板）
１００・・・基板（有孔板）
２０・・・・チップ層
２１・・・・木質チップ片
２２・・・・空隙
２４・・・・通気空間
Ｐ・・・・・吸音パネル    
【図１】
2016061036.tif 000003
【図２】
2016061036.tif 000004
【図３】
2016061036.tif 000005
【図４】
2016061036.tif 000006
【図５】
2016061036.tif 000007
【図６】
2016061036.tif 000008
【図７】
2016061036.tif 000009
【図８】
2016061036.tif 000010
【図９】
2016061036.tif 000011